(57)【要約】【課題】塗布容器本体内における気密性を確保しつつ、少なくなった化粧料を完全に使い切ることができるようにする。【解決手段】軸６を介して塗布体７を先端に保持するキャップ２と、開口部１９の根元に雄ネジ部２１を形成する塗布容器本体１８とから構成され、該キャップ２では内壁面に雌ネジ部４を形成する中間キャップ３を固持し、該軸６では外壁面に雄ネジ部１５を形成する内キャップ１４を一体とした上で、雌ネジ部４に対して雄ネジ部２１、１５を噛合させ、該軸６とスプリング９により連結される栓パッキン１０と塗布容器本体１８内のシゴキ２２とを回り止め１１、２３により係合自在とするので、キャップの脱着に合わせて軸は伸縮し、塗布容器本体内に残った化粧料を塗布体に残らず付着させることができる共に、塗布体を破損させずに収容することができるものである。【選択図】図１
2015089406.tif 000002
【特許請求の範囲】
【請求項１】
軸を介して塗布体を先端に保持するキャップと、内部に化粧料を貯留する塗布容器本体とから構成され、
該キャップは、その内部において、内壁面に雌ネジ部を形成する中間キャップを固持し、
該軸は、軸に沿って摺動し、後述する塗布容器本体の開口部を閉塞自在とする栓パッキン、及び栓パッキンと軸とを一体に連結してなる弾性体である可変パッキンを外装するとともに、前記中間キャップの内壁面に形成される雌ネジ部に対して噛合する雄ネジ部を、その上部又は該上部で一体となる内キャップの外壁面に形成し、
該塗布容器本体は、その根元に雄ネジ部を形成する開口部とともに、軸との間で直接又は間接的に回り止めを形成するものであって、
該キャップ内に固持される中間キャップの内壁面に形成される雌ネジ部に対して、キャップの回動によって、塗布容器本体の開口部の雄ネジ部とは離合可能となるように噛合させるとともに、軸の上部又は該上部で一体となる内キャップの外壁面に形成される雄ネジ部とが噛合してなり、
該塗布容器本体と軸との間で直接又は間接的に形成される回り止めを離合可能とする
ことを特徴とする化粧料塗布容器。
【請求項２】
上記塗布容器本体の開口部の外壁面において、外方に向かって湾曲状に膨出する球面状部を形成してなる
ことを特徴とする請求項１記載の化粧料塗布容器。
【請求項３】
上記塗布容器本体の開口部にシゴキを装着する
ことを特徴とする請求項１又は請求項２記載の化粧料塗布容器。
【請求項４】
上記塗布容器本体の開口部にシゴキを装着するにあたって、軸に固定、又は該軸の長手方向に沿って摺動自在となるシゴキ用パッキンを外装してなる
ことを特徴とする請求項３に記載の化粧料塗布容器。
【請求項５】
上記塗布体容器本体と軸との間で間接的に形成される回り止めが、軸に外装される栓パッキンと該塗布体容器本体の開口部に装着するシゴキとの間、又は軸に外装される内キャップと該塗布体容器本体の開口部との間で形成される
ことを特徴とする請求項１乃至請求項４のうち、いずれか１つの請求項に記載の化粧料塗布容器。
【請求項６】
上記キャップ内において、軸の上部或いは該上部で一体となる内キャップの外壁面に形成される雄ネジ部と噛合する中間キャップの内壁面に形成される雌ネジ部の全長を、該軸の上部或いは該上部で一体となる内キャップの外壁面に形成される雄ネジ部の全長よりも短くする
ことを特徴とする請求項１乃至請求項５のうち、いずれか１つの請求項に記載の化粧料塗布容器。
【請求項７】
上記キャップの内部において固持される中間キャップの内壁面と、軸又は該軸の上部で一体となる内キャップの間に、軸の前進又は後退を抑止固定する手段を介在させる
ことを特徴とする請求項１乃至請求項６のうち、いずれか１つの請求項に記載の化粧料塗布容器。
【請求項８】
上記軸に外装され、栓パッキンと軸とを一体に連結してなる可変パッキンを、スプリングとする
ことを特徴とする請求項１乃至請求項７のうち、いずれか１の請求項に記載の化粧料塗布容器。
【請求項９】
上記軸に外装され、栓パッキンと軸とを一体に連結してなる可変パッキンを、略球状又は円筒状の弾性中空体とする
ことを特徴とする請求項１乃至請求項８のうち、いずれか１の請求項に記載の化粧料塗布容器。
【請求項１０】
上記軸に外装され、栓パッキンと軸とを一体に連結してなる略球状又は円筒状の弾性中空体である可変パッキンの内部において溝部を配設する
ことを特徴とする請求項９記載の化粧料塗布容器。
【請求項１１】
上記軸に外装され、栓パッキンと軸とを一体に連結してなる略球状又は円筒状の弾性中空体である可変パッキンの内部においてスプリングを内装してなる
ことを特徴とする請求項９又は請求項１０記載の化粧料塗布容器。
【発明の詳細な説明】
【技術分野】
【０００１】
本願発明は、液体口紅やリップグロス等の液体化粧料（以下、「化粧料」とする。）を内部に収容する化粧料塗布容器に関する。
【背景技術】
【０００２】
従来、液体化粧料を内部に収容する化粧料塗布容器は、先端に塗布体を保持する軸部と一体となるキャップと、該キャップと着脱自在となり、その内部に化粧料を貯留するとともに、開口部端縁に内部の気密を確保する部材を装着する塗布容器本体とから構成されるものである。
【０００３】
しかしながら、キャップを塗布容器本体と一体としたときに、該キャップに固持される軸部の先端に保持される塗布体が、塗布容器本体の内底部と干渉して破損することがないように、その長さは固定されているものである。その結果、塗布容器本体内に多量の化粧料が貯留している場合には、改めてキャップを塗布容器本体に装着し直すことで、軸部の先端に保持されている塗布体に該化粧料を付着させることができる。ところが、化粧料の残量が少なくなった場合には、塗布体が塗布容器本体に残留する化粧料まで届きにくくなり、再度キャップを塗布容器本体に装着し直しても、塗布体に化粧料を付着させる事が非常に煩雑なものである。
さらに、長期間の使用により塗布容器本体内の化粧料の残量が少なくなり、しかも化粧料の粘度が高くなると、キャップを塗布容器本体に装着しても、塗布容器本体の内底部や内壁面側に非常に届きにくく、また届いたとしても化粧料の粘度が高くなると塗布体に付着しづらくなることから、結局塗布容器本体内に化粧料が多量に残存してしまうものとなる。
【０００４】
そのため、塗料を充?する容器と、ブラシを取付部を介して保持する蓋とから構成されるとともに、該蓋と取付部との間にバネを備えることで、ブラシと一体となる取付部が蓋の脱着合わせて伸縮するブラシ付き容器が提案されている（特許文献１参照）。
【０００５】
上記ブラシ付き容器は、蓋と取付部との間に備えるバネの弾性によって、蓋を容器に装着する場合には、バネが収縮することによって、ブラシが容器の内底部と干渉しないように取付部が蓋内を上昇する結果、蓋より突出するブラシの長さが短くなり、また蓋を容器から脱離する場合には、バネが伸長することによって、容器に蓋を装着しなくても容器の内底部に残留する化粧料にまで届くように取付部が蓋内を下降する結果、蓋より突出するブラシの長さが長くなるものである。その結果、塗料の残量が少なくなっても、再度蓋を容器に装着することなく、ブラシに付着させることができるものである。
【０００６】
ところが、ブラシと一体となる取付部はバネの弾性に応じて自由に伸縮するものであるので、容器の内底部に残存する化粧料を塗布体に付着させようとすると、ブラシと容器の内底部とが当接した途端、ブラシにかかる圧力によって取付部の上昇とともにバネが収縮することから、蓋より突出するブラシの長さは短くなってしまうものである。すなわち、容器の内底部や内壁面側に残存する化粧料をブラシに付着させようとしてもブラシを通して圧力が伝達されないので、該ブラシに容器の内底部や内壁面側に残存する化粧料を十分に付着させることができないものである。
【先行技術文献】
【特許文献】
【０００７】
【特許文献１】特開２００３−２００６２号公報
【発明の概要】
【発明が解決しようとする課題】
【０００８】
解決しようとする問題点は、塗布容器本体の内底部や内壁面側に残存する化粧料を完全に使い切ることができない点である。
【課題を解決するための手段】
【０００９】
第１の特徴として、
軸を介して塗布体を先端に保持するキャップと、内部に化粧料を貯留する塗布容器本体とから構成され、
該キャップは、その内部において、内壁面に雌ネジ部を形成する中間キャップを固持し、
該軸は、軸に沿って摺動し、後述する塗布容器本体の開口部を閉塞自在とする栓パッキン、及び栓パッキンと軸とを一体に連結してなる弾性体である可変パッキンを外装するとともに、前記中間キャップの内壁面に形成される雌ネジ部に対して噛合する雄ネジ部を、その上部又は該上部で一体となる内キャップの外壁面に形成し、
該塗布容器本体は、その根元に雄ネジ部を形成する開口部とともに、軸との間で直接又は間接的に回り止めを形成するものであって、
該キャップ内に固持される中間キャップの内壁面に形成される雌ネジ部に対して、キャップの回動によって、塗布容器本体の開口部の雄ネジ部とは離合可能となるように噛合させるとともに、軸の上部又は該上部で一体となる内キャップの外壁面に形成される雄ネジ部とが噛合してなり、
該塗布容器本体と軸との間で直接又は間接的に形成される回り止めを離合可能とするものである。
【００１０】
そのため、塗布容器本体からキャップを離脱させて塗布体を取り出す場合には次のようになるものである。
まず、塗布容器本体に対してキャップが一体に装着されていると、キャップ内に固持される中間キャップの雌ネジ部に対して、塗布容器本体の開口部の根元及び軸の上部又は該上部で一体となる内キャップの外壁面に形成される雄ネジ部とは互いに噛合しているものである。
また、軸と、塗布容器本体との間で直接又は間接的に形成される回り止めによって、塗布容器本体と軸又は軸と一体となる内キャップとは一体になっているものである。
そこで、塗布容器本体を手で保持しながらキャップを回動させることによって、塗布容器本体の開口部の根元及び軸の上部又は該上部で一体となる内キャップの雄ネジ部との噛合はキャップの開口端方向へ移動したことで、中間キャップの雌ネジ部と塗布容器本体の雄ネジ部との噛合が解離する一方で、軸の上部又は該上部で一体となる内キャップの雄ネジ部とは未だに噛合しているものとなる。
ここで、上述のように、軸と塗布容器本体とは係合による回り止めで一体になっているので、さらにキャップを回動させることによって、軸の上部又は該上部で一体となる内キャップの雄ネジ部との噛合はキャップの開口端方向へさらに移動するものとなる。
このとき、軸上部又は該上部で一体となる内キャップがキャップの開口端方向へ更に移動することで、中間キャップ内を軸がキャップの開口端方向へ移動するものとなるので、キャップの開口端より突出する軸の長さが伸長するものとなる。
その結果、キャップの開口端より突出する軸の長さが伸長した状態で塗布容器本体から塗布体を取り出すことができるものである。
【００１１】
このため、塗布容器本体内の化粧料が少なくなっても、先端に塗布体を保持する軸の長さが伸長しているので、塗布容器本体に対して塗布体を挿入するだけ、又はそれとともにキャップを押し込むとともに、可変パッキンの十分な変形と相俟って、該塗布体に対して残り少ない化粧料を確実に付着させることができるものである。
【００１２】
さらに、塗布容器本体内の化粧料がきわめて少なくなり、例えば塗布容器本体内の内壁面側に残るものとなっても、塗布容器本体に対して塗布体を挿入しながらキャップを押し込むとともに、開口部の周縁を回動させることによって、可変パッキンが回動に合わせて十分に変形して、該塗布体が塗布容器本体内の内壁面側にまで十分に届くものとなって、化粧料を確実に付着させることができるものでもある。
【００１３】
一方、塗布容器本体に対してキャップを装着する場合には、次のようになるものである。
まず、塗布容器本体の開口部より塗布体を挿入しながらキャップを押し込むことによって軸と塗布容器本体とが回り止めを形成するので、塗布容器本体と軸とは一体となるものである。
そこで、塗布容器本体を手で保持しながらキャップを回動させることによって、キャップに固持される中間キャップの雌ネジ部と、軸の上部又は該上部で一体となる内キャップの雄ネジ部とが噛合し、その噛合はキャップの開口端方向とは反対方向に移動するものとなる。
このとき、軸の上部又は該上部で一体となる内キャップの雄ネジ部との噛合がキャップの開口端方向とは反対方向に移動することで、中間キャップ内を軸がキャップの開口端方向へ移動するので、キャップの開口端より突出する軸の長さが短縮するものとなる。
ここで、塗布容器本体を手で保持しながらキャップを回動させることによって、次は塗布容器本体の開口部の根元における雄ネジ部と中間キャップの雌ネジ部とが噛合するものとなる。
その結果、キャップ内において、キャップの開口端より突出する軸の長さを短縮させながら塗布容器本体に対してキャップを一体に装着することができるものである。
【００１４】
従って、塗布容器本体と塗布体とは干渉して破損することを確実に防止することができるものともなる。
【００１５】
第２の特徴として、第１の特徴を踏まえて、
上記塗布容器本体の開口部の外壁面において、外方に向かって湾曲状に膨出する球面状部を形成してなるものである。
【００１６】
そのため、例えば塗布容器本体の内壁面側に残った化粧料を塗布体に付着させようとするときには、塗布容器本体の開口部に形成される球面状部にキャップを支持させることで円滑に回動するものとなる。その結果、塗布体は塗布容器本体の内壁面側を全面にわたって万遍なく密着するので、確実に化粧料を塗布体に対して付着させることができるものとなる。
【００１７】
第３の特徴として、第１の特徴又は第２の特徴を踏まえて、
上記塗布容器本体の開口部にシゴキを装着するものである。
【００１８】
そのため、キャップに軸を介して保持される塗布体を塗布容器本体より抜出することによって、軸及び塗布体はシゴキを通過するので、該軸及び軸の先端に保持する塗布体に過剰に付着した化粧料を拭い去るものとなる。その結果、過剰に付着した化粧料による周囲への汚損を確実に防止することができるものとなる。
【００１９】
第４の特徴として、第３の特徴を踏まえて、
上記塗布容器本体の開口部にシゴキを装着するにあたって、軸に固定、又は該軸の長手方向に沿って摺動自在となるシゴキ用パッキンを外装してなるものである。
【００２０】
そのため、キャップを塗布容器本体に装着することによって、軸に外装されるシゴキ用パッキンはシゴキの内壁面に付着する化粧料を掻き落としつつ、シゴキと当接し、さらにシゴキ以上に入り込もうとすると逆方向へ摺動するものとなる。その結果、該シゴキ用パッキンはシゴキよりも内側に入り込こまず、シゴキとシゴキ用パッキンとが互いに係止して抵抗が発生しないので、化粧料が付着した塗布体を塗布容器本体内より容易に抜出することができるものである。
【００２１】
第５の特徴として、第１の特徴乃至第４の特徴を踏まえて、
上記塗布体容器本体と軸との間で間接的に形成される回り止めが、軸に外装される栓パッキンと該塗布体容器本体の開口部に装着するシゴキとの間、又は軸に外装される内キャップと該塗布体容器本体の開口部との間で形成されるものである。
【００２２】
そのため、軸と塗布容器本体とが上記回り止めにより一体となるので、塗布容器本体からキャップを離脱させる際には、キャップ内に固持される中間キャップの内壁面に形成される雌ネジ部と開口部の雄ネジ部との噛合が外れても、軸と塗布容器本体とは一体に回動して、キャップ内に固持される中間キャップの内壁面に形成される雌ネジ部と軸の上部又は該上部で一体となる内キャップの外壁面に形成される雄ネジ部との噛合を開口部方向へ移動させて、キャップの離脱とともにキャップの開口端より突出する軸の長さを伸長させるものとなる。
【００２３】
また、塗布容器本体に対してキャップを装着させる際には、軸と塗布容器本体とが上記回り止めにより一体となるので、キャップを回動させることによって、キャップ内に固持される中間キャップの内壁面に形成される雌ネジ部と軸の上部又は該上部で一体となる内キャップの外壁面に形成される雄ネジ部との噛合は開口部方向とは反対側に移動するので軸を短縮させて、キャップ内に固持される中間キャップの内壁面に形成される雌ネジ部と開口部の雄ネジ部とは互いに噛合するものとなる。
【００２４】
第６の特徴として、第１の特徴乃至第５の特徴を踏まえて、
上記キャップ内において、軸の上部或いは該上部で一体となる内キャップの外壁面に形成される雄ネジ部と噛合する中間キャップの内壁面に形成される雌ネジ部の全長を、該軸の上部或いは該上部で一体となる内キャップの外壁面に形成される雄ネジ部の全長よりも短くするものである。
【００２５】
そのため、塗布容器本体に対してキャップを離脱させる際には、キャップを回動させことによって、中間キャップの内壁面に形成される雌ネジ部と塗布容器本体の開口部の雄ネジ部との噛合が外れた後に、可変パッキンの弾性によって中間キャップの内壁面に形成される雌ネジ部は内キャップの外壁面に形成される雄ネジ部と噛合できる位置まで移動するものとなる。その結果、さらにキャップを回動させることによって、中間キャップの内壁面に形成される雌ネジ部は内キャップの外壁面に形成される雄ネジ部と噛合することになるので、簡易かつ確実に、しかも迅速にキャップの離脱を図ることができるものである。
【００２６】
また、塗布容器本体に対してキャップを装着させる際には、キャップを回動させことによって、まず中間キャップの内壁面に形成される雌ネジ部と内キャップの外壁面に形成される雄ネジ部とが噛合した後、一旦該噛合が外れるので、キャップをさらに押し込むことで中間キャップの内壁面に形成される雌ネジ部は塗布容器本体の開口部の雄ネジ部と噛合する位置まで移動するものとなる。その結果、さらにキャップを回動させることによって塗布容器本体の開口部の雄ネジ部と円滑に噛合するものとなるので、簡易かつ確実に、しかも迅速にキャップの装着を図ることができるものである。
【００２７】
第７の特徴として、第１の特徴乃至第６の特徴を踏まえて、
上記キャップの内部において固持される中間キャップの内壁面と、軸又は該軸の上部で一体となる内キャップの間に、軸の前進又は後退を抑止固定する手段を介在させるものである。
【００２８】
そのため、塗布体を先端に保持する軸はその位置で固定されるものとなる。その結果、化粧料を塗布する際、又は塗布容器本体内の化粧料を塗布体に付着させる際に塗布体に対して強い圧力が加わっても、キャップ内に不意に没入することはなくなるので、正確、かつ安全に化粧料の塗布を行うことができるものである。
【００２９】
さらに、軸の前進又は後退を抑止固定する手段として、環状凸部及び環状凹部又は環状突縁を用いることで、塗布容器本体に対するキャップの脱着において衝撃が発生するものとなる。その結果、使用者はキャップの脱着操作を簡易かつ確実に確認することができるものとなる。
【００３０】
第８の特徴として、第１の特徴乃至第７の特徴を踏まえて、
上記軸に外装され、栓パッキンと軸とを一体に連結してなる可変パッキンを、スプリングとし、
第９の特徴として、第１の特徴乃至第７の特徴を踏まえて、
上記軸に外装され、栓パッキンと軸とを一体に連結してなる可変パッキンを、略球状又は円筒状の弾性中空体としてなるものである。
【００３１】
そのため、塗布容器本体に対してキャップが装着して圧縮されると、上記可変パッキンはその有する弾性によって十分に変形するものとなる。その結果、該可変パッキンはシゴキの開口端に対して十分に密着するので、塗布体容器本体内の気密性を確保し、塗布容器本体内に貯留する化粧料の漏出や化粧料中の揮発成分の蒸発を確実に防止することができるものとなる。
【００３２】
さらに、塗布容器本体の内壁面側に残った化粧料を塗布体に付着させるために回動させることによって、可変パッキンは回動に合わせて十分に変形するものとなる。その結果、可変パッキンはキャップの回動による入力を緩衝しつつ円滑に回動させるので、塗布体に化粧料を万遍なく付着させることができるものである。
【００３３】
第１０の特徴として、第９の特徴を踏まえて、
上記軸に外装され、栓パッキンと軸とを一体に連結してなる略球状又は円筒状の弾性中空体である可変パッキンの内部において溝部を配設し、
第１１の特徴として、第９の特徴又は第１０の特徴を踏まえて、
上記軸に外装され、栓パッキンと軸とを一体に連結してなる略球状又は円筒状の弾性中空体である可変パッキンの内部においてスプリングを内装してなるものである。
【００３４】
そのため、可変パッキンは溝部により容易に、しかも任意の形状に変形するものとなり、さらにスプリングの反発力によって密着性とともに復元力が高まるものとなる（図７、図８参照）。その結果、塗布容器本体内の気密性の確保を高めるとともに、キャップの塗布容器本体に対する回動における入力を緩衝してより円滑な操作をすることができるものである。
【発明の効果】
【００３５】
本願発明は、キャップにおいて先端に塗布体を保持する軸に外装する弾性を有する可変パッキンの変形によって、栓パッキンを塗布容器本体の開口部に密着させるとともに、キャップより突出する軸の長さをキャップの脱着に合わせて伸縮させ、しかもキャップを塗布容器本体に対して滑らかに回動させるようになるので、塗布容器本体内の気密性を十分に確保しつつ、簡易かつ確実に塗布容器本体に対するキャップの脱着を行うことができるとともに、塗布容器本体内部に貯留する化粧料をすべて使い切ることができる優れた効果を有するものである。
【図面の簡単な説明】
【００３６】
【図１】図１は、本願発明の実施例１である化粧料塗布容器の拡大断面図である。
【図２】図２は、本願発明の実施例１である化粧料塗布容器においてキャップを外した状態の拡大断面図である。
【図３】図３は、本願発明の実施例１である化粧料塗布容器においてキャップを外し、塗布体に化粧料を付着させる状態の拡大断面図である。
【図４】図４は、本願発明の実施例２である化粧料塗布容器の拡大断面図である。
【図５】図５は、本願発明の実施例２である化粧料塗布容器においてキャップを外した状態の拡大断面図である。
【図６】図６は、本願発明の実施例２である化粧料塗布容器においてキャップを外し、塗布体に化粧料を付着させる状態の拡大断面図である。
【図７】図７は、本願発明の実施例２である化粧料塗布容器における弾性中空体の変形例の要部拡大断面図である。
【図８】図８は、本願発明の実施例２である化粧料塗布容器における弾性中空体の変形例の要部拡大断面図である。
【図９】図９は、本願発明の実施例３である化粧料塗布容器の拡大断面図である。
【図１０】図１０は、本願発明の実施例３である化粧料塗布容器においてキャップを外した状態の拡大断面図である。
【図１１】図１１は、本願発明の実施例３である化粧料塗布容器においてキャップを外し、塗布体に化粧料を付着させる状態の拡大断面図である。
【図１２】図１２は、本願発明の実施例４である化粧料塗布容器の拡大断面図である。
【図１３】図１３は、本願発明の実施例４である化粧料塗布容器においてキャップを外した状態の拡大断面図である。
【図１４】図１４は、本願発明の実施例４である化粧料塗布容器においてキャップを外し、塗布体に化粧料を付着させる状態の拡大断面図である。
【図１５】図１５は、本願発明の実施例５である化粧料塗布容器の拡大断面図である。
【発明を実施するための形態】
【００３７】
化粧料容器本体内の気密性を確保するとともに、化粧料をすべて使い切れるようにするため、塗布容器本体内の気密性を栓パッキンによって確保しながら、キャップの脱着に合わせてキャップより突出する軸の長さを伸縮させるものとすることで実現した。
【実施例１】
【００３８】
図１〜図３において示すのは、本願発明の実施例１である化粧料塗布容器１である。そして、該化粧料塗布容器１は、キャップ２と、塗布容器本体１８とから構成され、
該キャップ２は、軸６を介して塗布体７を先端に保持するものであって、該塗布容器本体１８は、該塗布体７を挿脱する開口部１９を形成するとともに、内部に化粧料３３を貯留するものである。
【００３９】
そして、該キャップ２は、その内部で、内壁面において雌ネジ部４を形成する中間キャップ３を一体に固持するものである。
さらに、軸６は、その外壁面において、可変パッキンであるスプリング９、及びシゴキ２２に密着して気密性を確保するシゴキ用パッキン１３を外装するとともに、その上部では、外壁面において雄ネジ部１５を形成する内キャップ１４をローレット１７を介して一体に固持するものである。
ここで、可変パッキンであるスプリング９は、軸６と、その内壁面１２が軸６の外壁面に外装されるＯパッキン８と常時密着し、その外壁面に断面正八角形状の回り止め１１を形成する栓パッキン１０とを弾性をもって一体に連結するものである。
【００４０】
また、該塗布容器本体１８は、開口部１９の外壁面において、外方に向かって湾曲状に膨出する球面状部２０を形成するとともに、その根元では雄ネジ部２１を形成し、さらに、その内部では内壁面に断面正八角形状の回り止め２３を形成するシゴキ２２を装着するものである。
【００４１】
その上で、該キャップ２内に一体に固持される中間キャップ３の内壁面に形成される雌ネジ部４に対して、キャップ２の回動によって、開口部１９の雄ネジ部２１は離合自在に噛合するとともに、軸６に固持される内キャップ１４に形成される雄ネジ部１５は噛合してなるものとする。
さらに、軸６の外装される栓パッキン１０の外壁面に形成される回り止め１１と、塗布容器本体１８の開口部１９に装着されるシゴキ２２の内壁面に形成される回り止め２３とは離合自在となるように係合してなるものである。
【００４２】
ここで、キャップ２内で一体に固持する中間キャップ３の内壁面の上部には上下二段の環状凹部５、５’を形成し、軸６で固持する内キャップ１４の外壁面の上部には環状凸部１６を形成するものである。そのため、該中間キャップ３の上下二段の環状凹部５、５’と、該内キャップ１２の環状凸部１６とは内キャップ１４の移動に応じて互いに係合自在となるものである。
【００４３】
本願発明の実施例１である化粧料塗布容器１は以上の構成を具えるので、塗布容器本体１８からキャップ２を離脱させて塗布体７を取り出す場合には、次のようにするものである。
まず、塗布容器本体１８に対してキャップ２が一体に装着されていると、開口部１９に装着されるシゴキ２２の内壁面の回り止め２３と軸６に外装される栓パッキン１０の回り止め１１との係合、及び該軸６と内キャップ１４とのローレット１７同士の係合によって、塗布容器本体１８は軸６を介して内キャップ１４を一体に回動するように固持しているものである。
そこで、塗布容器本体１８に一体に装着されているキャップ２を離脱させるために、塗布容器本体１８を固定してキャップ２を回動させると、塗布容器本体１８及び内キャップ１４の雄ネジ部２１、１５と中間キャップ３の雌ネジ部４との噛合はキャップ２の開口端方向へ移動するので、中間キャップ３の雌ネジ部４と塗布容器本体１８の雄ネジ部２１との噛合は解離する一方で、中間キャップ３の雌ネジ部４と内キャップ１４の雄ネジ部１５との噛合はそのまま維持されるものとなる。
このとき、この状態でも塗布容器本体１８の開口部１９に装着されたシゴキ２２と軸６に外装された可変パッキン９とは回り止め２３、１１同士が一体に係合しており、塗布容器本体１８と内キャップ１４とは軸６を介して一体に固持されているものである。
そのため、キャップ２をさらに回動させると、中間キャップ３の雌ネジ部４と内キャップ１４の雄ネジ部１５との噛合はキャップ２の開口端まで移動するので、キャップ２より突出する軸６の長さは伸長するものとなる。
その結果、キャップ２より突出する軸６の長さを伸長させた状態で、塗布容器本体１８から塗布体７を取り出すことができるものとなる（図２参照）。
【００４４】
なお、キャップ２の回動による、中間キャップ３の開口端方向への内キャップ１４の移動においては、当初中間キャップ３の内壁面に形成される上方の環状凹部５に係合している内キャップ１４の環状凸部１６は該上方の環状凹部５から離脱するとともに下方の環状凹部５’に係合するものとなる。その結果、軸６は環状凸部１６と中間キャップ３の環状凹部５’との係合により軸６が固定されて安定するとともに、中間キャップ３の環状凹部５、５’と内キャップ１４の環状凸部１６との離脱及び係合によって発生する衝撃によって、使用者はキャップ２の脱着操作を正確に確認することもできるものとなる。
【００４５】
以上のように、キャップ２より突出する軸６の長さを伸長した状態とするものであるので、塗布容器本体１８内の化粧料３３が少なくなっても、塗布容器本体１８に対して塗布体７を挿入するだけ、またはそれとともにキャップ２を押し込むことによるスプリング９の十分な圧縮、変形によって、該キャップ２に軸６を介して保持される塗布体７に対して化粧料３３を確実に付着させることができるものである。
【００４６】
さらに、塗布容器本体１８の化粧料３３がきわめて少なくなり、例えば塗布容器本体１８内の内壁面側に化粧料３３が残るものとなっても、塗布容器本体１８に対して塗布体７を挿入しながらキャップ２を押し込むとともに、該開口部１９の球面状部２０に栓パッキン１０を支持しながら回動させることによって、スプリング９が十分に変形するものとなる。その結果、塗布体７は塗布容器本体１８内の内壁面側にまで十分に届くことになるので、該塗布体７に対して化粧料３３を確実に付着させることができるものである。
【００４７】
一方、塗布容器本体１８に対してキャップ２を一体に装着する場合には、次のようにするものである。
まず、塗布容器本体１８の開口部１９より塗布体７を挿入しながらキャップ２を押し込むものである。
その結果、塗布容器本体１８に開口部１９に装着されたシゴキ２２と軸６に外装された栓パッキン１０とは回り止め２３、１１同士が一体に係合するので、塗布容器本体１８は軸６を介して内キャップ１４を一体に回動するように固持するものとなる。
そして、塗布容器本体１８を固定しながらキャップ２を逆回動させることによって、キャップ２内に固持される中間キャップ３と噛合する内キャップ１４は該中間キャップ３内をキャップ２の開口端とは反対方向へ移動するので、キャップ２より突出する軸６の長さは短縮するものである。
さらに、キャップ２を回動させることによって、塗布容器本体１８の雄ネジ部２１とキャップ２内に固持される中間キャップ３の雌ネジ部４とが新たに噛合するものである。
その結果、キャップ２より突出する軸６の長さを短縮させた状態で、塗布容器本体１８へ軸６とともに塗布体７を塗布容器本体１８の底部等に干渉させて破損させることなく収容することができ、塗布容器本体１８にキャップ２を一体に装着することができるものとなる。
【００４８】
以上のように、キャップ２より突出する軸６の長さを短縮させつつ塗布体７を塗布容器本体１８内に収容することで、スプリング９は弾性をもって圧縮することで栓パッキン１０は該シゴキ２２開口端と、軸６に外装されるシゴキ用パッキン１３はシゴキ２２の内壁面に付着した化粧料３３を掻き落としつつ化粧料３３の漏出や化粧料３３中の揮発成分の蒸発を確実に防止することができるものとなる。
【００４９】
なお、キャップ２の回動による、キャップ２の開口端と反対方向への内キャップ１４の移動においては、当初中間キャップ３の内壁面に形成される下方の環状凹部５’に係合している内キャップ１４の環状凸部１６は該下方の環状凹部５’から離脱するとともに上方の環状凹部５に係合するものとなる。その結果、中間キャップ３の環状凹部５、５’と内キャップ１４の環状凸部１６との離脱及び係合により発生する衝撃によって、使用者はキャップ２の脱着操作を正確に確認することができるものとなる。
【実施例２】
【００５０】
図４〜図８において示すのは、本願発明の実施例２である化粧料塗布容器１ａである。そして、該化粧料塗布容器１ａは、実施例１の化粧料塗布容器１と同様に、キャップ２と、塗布容器本体１８とから構成され、
該キャップ２は、軸６を介して塗布体７を先端に保持するものであって、該塗布容器本体１８は、該塗布体７を挿脱する開口部１９を形成するとともに、化粧料３３を貯留するものである。
【００５１】
そして、該キャップ２は、その内部で、内壁面において雌ネジ部４を形成する中間キャップ３を一体に固持するものである。
さらに、軸６は、その外壁面において、可変パッキンである略球状の中空弾性体９ａ、及び軸６の長手方向に摺動自在となり、シゴキ２２に密着して気密性を確保するシゴキ用パッキン１３ａを外装するとともに、その上部では、外壁面において雄ネジ部１５を形成する内キャップ１４をローレット１７を介して一体に固持するものである。
ここで、該可変パッキンである弾性中空体９ａは、軸６と、その外壁面に断面正八角形状の回り止め１１ａを形成する栓パッキン１０ａとを弾性をもって一体に連結するものである。
なお、該可変パッキンである弾性中空体９ａにおいては、図７に示すように、その内部にスプリング３１を内装した弾性中空体９’ａであり、図８に示すように、その内部において溝３２を配設する弾性中空体９”ａであっても良いものである。その結果、スプリング３１を内装することによって、弾性中空体９’ａの変形、復元が迅速に行われるようになり、溝３２を配設することによって、弾性中空体９”ａは変形自在、しかも容易となるもので、後述するように栓パッキン１０ａを開口部１９に支持させてキャップ２を回動させる等を円滑に行えるようにすることができる。
【００５２】
また、該塗布容器本体１８は、実施例１と同様に、開口部１９の外壁面において、外方に向かって湾曲状に膨出する球面状部２０を形成するとともに、その根元では雄ネジ部２１を形成し、さらに、その内部では内壁面に断面正八角形状の回り止め２３を形成するシゴキ２２を装着してなるものである。
【００５３】
その上で、実施例１と同様に、該キャップ２内に一体に固持される中間キャップ３の内壁面に形成される雌ネジ部４に対して、キャップ２の回動によって、開口部１９の雄ネジ部２１は離合自在に噛合するとともに、軸６に固持される内キャップ１４に形成される雄ネジ部１５は噛合してなるものである。
さらに、軸６に外装される栓パッキン１０ａの外壁面に形成される回り止め１１と、塗布容器本体１８の開口部１９に装着されるシゴキ２２の内壁面に形成される回り止め２３ａとは離合自在となるように係合してなるものである。
【００５４】
ここで、実施例１の化粧料塗布容器１とは相違して、キャップ２内で一体に固持する中間キャップ３の内壁面の上部には上下二段の環状突縁５ａ、５’ａを形成し、軸６で固持する内キャップ１４の外壁面の上部には単独の環状突縁１６ａを形成するものであり、該中間キャップ３の上下二段の環状突縁５ａ、５’ａと、該内キャップ１４の環状突縁１６ａとは内キャップ１４の移動に応じて互いに係合自在となるものである。
そして、実施例２の軸６に外装されるシゴキ用パッキン１３ａは、実施例１のシゴキ用パッキン１３とは異なり、軸６に沿って摺動自在となるものである。
【００５５】
本願発明の実施例２である化粧料塗布容器１ａは以上の構成を具えるので、塗布容器本体１８からキャップ２を離脱させて塗布体７を取り出す場合には、次のようにするものである。
まず、塗布体容器本体１８に対してキャップ２が一体に装着されていると、開口部１９に装着されるシゴキ２２と軸６に外装される栓パッキン１０ａとの回り止め２３ａ、１１ａ同士の係合、及び該軸６と内キャップ１４とのローレット１７の係合によって、塗布容器本体１８は内キャップ１４を一体に回動するように固持しているものとなる。
そこで、塗布容器本体１８に一体に装着されているキャップ２を離脱させるために、塗布容器本体１８を固定してキャップ２を回動させると、塗布容器本体１８及び内キャップ１４の雄ネジ部２１、１５と中間キャップ３の雌ネジ部４との噛合はキャップ２の開口端方向へ移動するので、中間キャップ３の雌ネジ部４と塗布容器本体１８の雄ネジ部２１との噛合は解離する一方で、中間キャップ３の雌ネジ部４と内キャップ１４の雄ネジ部１５との噛合はそのまま維持されるものとなる。
このとき、この状態でも塗布容器本体１８の開口部１９に装着されたシゴキ２２と軸６に外装された可変パッキンである弾性中空体９ａとは回り止め２３ａ、１１ａ同士が一体に係合しており、塗布容器本体１８と内キャップ１４とは軸６を介して一体に固持されているものである。
そのため、キャップ２をさらに回動させると、中間キャップ３の雌ネジ部４と内キャップ１４の雄ネジ部１５との噛合はキャップ２の開口端まで移動するので、キャップ２より突出する軸６の長さは伸長するものである。
その結果、キャップ２より突出する軸６の長さを伸長させた状態で、塗布容器本体１８から塗布体７を取り出すことができるものとなる（図５参照）。
【００５６】
なお、キャップ２の回動による中間キャップ３の開口端方向への内キャップ１４の移動においては、当初中間キャップ３の内壁面に形成される上方の環状突縁５ａに係合している内キャップ１４の環状突縁１６ａは該上方の環状突縁５ａから離脱するとともに下方の環状突縁５’ａに係合するものとなる。その結果、軸６は環状突縁１６ａと中間キャップ３の環状突縁５’ａとの係合により軸６が固定されて安定するとともに、中間キャップ３の環状突縁５ａ、５’ａとの環状突縁１６ａとの離脱及び係合によって発生する衝撃によって、実施例１と同様に、使用者はキャップ２の脱着操作を正確に確認することができるものとなる。
【００５７】
以上のように、キャップ２より突出する軸６の長さを伸長した状態とするものであるので、塗布容器本体１８内の化粧料３３が少なくなっても、塗布容器本体１８に対して塗布体７を挿入するだけ、またはそれとともにキャップ２を押し込むことによる弾性中空体９ａの十分な圧縮、変形によって、該キャップ２に軸６を介して保持される塗布体７に対して化粧料３３を確実に付着させることができるものである。
【００５８】
このとき、軸６に沿って摺動自在となるシゴキ用パッキン１３ａは、キャップ２を押し込むことによってシゴキ２２に当接しても、該シゴキ２２による抵抗によってキャップ２方向へ摺動するものとなる。その結果、シゴキ用パッキン１３ａはシゴキ２２よりも内側に入り込むことなく、容易に塗布容器本体１８から塗布体７を抜出することができるものとなる。
【００５９】
さらに、塗布容器本体１８の化粧料３３がきわめて少なくなり、例えば塗布容器本体１８内の内壁面側に化粧料３３が残るものとなっても、塗布容器本体１８に対して塗布体７を挿入しながらキャップ２を押し込むとともに、該開口部１９の球面状部２０に栓パッキン１０ａを支持しながら回動させることによって、弾性中空体９ａは回動に合わせて十分に変形するものとなる。その結果、塗布体７は塗布容器本体１８内の内壁面側にまで十分に届くことになるので、該塗布体７に対して化粧料３３を付着させることができるものである。
【００６０】
一方、塗布容器本体１８に対してキャップ２を装着する場合には、次のようにするものである。
まず、塗布容器本体１８の開口部１９より塗布体７を挿入しながらキャップ２を押し込むものである。
その結果、塗布容器本体１８に開口部１９に装着されたシゴキ２２と軸６に外装された栓パッキン１０ａとは回り止め２３ａ、１１ａ同士が一体に係合するので、塗布容器本体１８は軸６を介して内キャップ１４を一体に回動するように固持するものとなる。
そして、塗布容器本体１８を固定しながらキャップ２を回動させることによって、キャップ２内に固持される中間キャップ３と噛合する内キャップ１４は該中間キャップ３内をキャップ２の開口端とは反対方向へ移動するので、キャップ２より突出する軸６の長さは短縮するものである。
さらに、キャップ２を回動させることによって、塗布容器本体１８の雄ネジ部２１とキャップ２内に固持される中間キャップ３の雌ネジ部４とが新たに噛合するものである。
その結果、キャップ２より突出する軸６の長さを短縮させた状態で、塗布容器本体１８へ軸６とともに塗布体７を塗布容器本体１８の底部等に干渉させて破損させることなく収容することができ、塗布容器本体１８にキャップ２を一体に装着することができるものとなる。
【００６１】
以上のように、キャップ２より突出する軸６の長さを短縮されつつ塗布体７を塗布容器本体１８内に収容することで、弾性中空体９ａは弾性をもって圧縮することで変形して栓パッキン１０ａは該シゴキ２２の開口端と、軸６に外装されるシゴキ用パッキン１３ａはシゴキ２２の内壁面に付着する化粧料３３を掻き落としつつ化粧料３３の漏出や化粧料３３中の揮発成分の蒸発を確実に防止することができるものとなる。
【００６２】
なお、キャップ２の回動による、中間キャップ３の開口端と反対方向への内キャップ１４の移動においては、当初中間キャップ３の内壁面に形成される下方の環状突縁５’ａに係合している内キャップ１４の環状突縁１６ａは該下方の環状突縁５’ａから離脱するとともに上方の環状突縁５ａに係合するものとなる。その結果、中間キャップ３の環状突縁５ａ、５’ａと内キャップ１４の環状突縁１６ａとの離脱及び係合により発生する衝撃によって、使用者はキャップ２の脱着操作を正確に確認することができるものとなる。
【実施例３】
【００６３】
図９〜図１１において示すのは、本願発明の実施例３である化粧料塗布容器１ｂである。そして、該化粧料塗布容器１ｂは、実施例２の化粧料塗布容器１ａと同様に、キャップ２と、塗布容器本体１８とから構成され、
該キャップ２は、軸６を介して塗布体７を先端に保持するものであって、該塗布容器本体１８は、該塗布体７を挿脱する開口部１９を形成するとともに、化粧料３３を貯留するものである。
【００６４】
そして、実施例３における化粧料塗布容器１ｂは、実施例２の化粧料塗布容器１ａと略構成を共通するものであって、該キャップ２は、その内部で、内壁面において雌ネジ部４を形成する中間キャップ３を一体に固持するものである。
さらに、軸６は、その外壁面において、可変パッキンである略球状の弾性中空体９ｂ、及びシゴキ２２に密着して気密性を確保するシゴキ用パッキン１３ｂを外装するとともに、その上部では、外壁面において雄ネジ部１５を、内壁面には後述する開口部１９の外壁面に形成されるローレット２５と係合する回り止めのローレット２４を形成する内キャップ１４を一体にするものである。
ここで、該可変パッキンである弾性中空体９ｂは、実施例２の可変パッキンである弾性中空体９ａと略共通し、軸６と、栓パッキン１０ｂとを弾性をもって一体に連結するものである。
【００６５】
また、該塗布容器本体１８は、実施例２と同様に、開口部１９の外壁面において、外方に向かって湾曲状に膨出する球面状部２０を形成するとともに、前記内キャップ１４の回り止めであるローレット２４と噛合するローレット２５を有し、その根元では雄ネジ部２１を形成し、さらにその内部においてはシゴキ２２を装着してなるものである。
【００６６】
その上で、実施例２と同様に、該キャップ２内に一体に固持される中間キャップ３の内壁面に形成される雌ネジ部４に対して、キャップ２の回動によって、開口部１９の雄ネジ部２１は離合自在に噛合するとともに、軸６に固持される内キャップ１４に形成される雄ネジ部１５は噛合してなるものである。
さらに、軸６に一体に形成される内キャップ１４に形成されるローレット２４と、塗布容器本体１８の開口部１９に形成されるローレット２５とは離合自在となるように係合してなるものである。
【００６７】
ここで、実施例１の化粧料塗布容器１と実施例２の化粧料塗布容器１ａとは相違して、まず軸６に対して内キャップ１４は一体に形成されているものであって、該内キャップ１４の上部ではストッパー２６を有するものである。
そして、中間キャップ３には単独の環状突縁５ｂが、内キャップ１４には上下二段の環状突縁１６ｂ、１６’ｂが形成されているものである。その結果、内キャップ１４の移動に応じて、環状突縁５ｂと上下二段の環状突縁１６ｂ、１６’ｂとは係合自在となり、該環状突縁５ｂとストッパー２６とは係止自在となるものである。
【００６８】
本願発明の実施例３である化粧料塗布容器１ｂは以上の構成を具えるので、塗布容器本体１８からキャップ２を離脱させて塗布体７を取り出す場合には、次のようにするものである。
まず、塗布体容器本体１８に対してキャップ２が一体に装着されていると、開口部１９の球面状部２０と内キャップ１４の内壁面とのローレット２５、２４同士、及び内キャップ１４を一体に形成する軸６によって、塗布容器本体１８は内キャップ１４を一体に回動するように固持しているものとなる。
そこで、塗布容器本体１８に一体に装着されているキャップ２を離脱させるために、塗布容器本体１８を固定してキャップ２を回動させると、塗布容器本体１８及び内キャップ１４の雄ネジ部２１、１５と中間キャップ３の雌ネジ部４との噛合はキャップ２の開口端方向へ移動するので、中間キャップ３の雌ネジ部４と塗布容器本体１８の雄ネジ部２１との噛合は解離する一方で、中間キャップ３の雌ネジ部４と内キャップ１４の雄ネジ部１５との噛合はそのまま維持されるものとなる。
このとき、この状態でも塗布容器本体１８の開口部１９の球面状部２０と内キャップ１４の内壁面とは回り止めであるローレット２５、２４同士が一体に係合しており、塗布容器本体１８と内キャップ１４とは一体に固持されているものである。
そのため、キャップ２をさらに回動させると、中間キャップ３の雌ネジ部４と内キャップ１４の雄ネジ部１５との噛合はキャップ２の開口端まで移動するので、キャップ２より突出する軸６の長さは伸長するものである。
その結果、キャップ２より突出する軸６の長さを伸長させた状態で、塗布容器本体１８から塗布体７を取り出すことができるものとなる。
【００６９】
なお、キャップ２の回動による中間キャップ３の開口端方向への内キャップ１４の移動においては、当初中間キャップ３の内壁面に形成される環状突縁５ｂに係合している内キャップ１４の環状突縁１６ｂ、１６’ｂは離脱するとともに、ストッパー２６で係止されるものとなる。その結果、軸６は固定されて安定するとともに、中間キャップ３の環状突縁５ｂと内キャップ１４の環状突縁１６ｂ、１６’ｂとの係合により発生する衝撃によって、使用者はキャップ２の脱着操作を正確に確認することができるものとなる。
【００７０】
以上のように、キャップ２より突出する軸６の長さを伸長した状態とするものであるので、塗布容器本体１８内の化粧料が少なくなっても、塗布容器本体１８に対して塗布体７を挿入するだけ、またはそれとともにキャップ２を押し込むことによる弾性中空体９ｂの十分な圧縮、変形によって、該キャップ２に軸６を介して保持される塗布体７に対して化粧料を確実に付着させることができるものである。
【００７１】
このとき、軸６に沿って摺動自在となるシゴキ用パッキン１３ｂは、実施例２と同様に、キャップ２を押し込むことによってシゴキ２２に当接しても、該シゴキ２２による抵抗によってキャップ２方向へ摺動するものとなる。その結果、シゴキ用パッキン１３ｂはシゴキ２２よりも内側に入り込むことなく、容易に塗布容器本体１８から塗布体７を抜出することができるものとなる。
【００７２】
さらに、塗布容器本体１８の化粧料３３がきわめて少なくなり、例えば塗布容器本体１８内の内壁面側に化粧料３３が残るものとなっても、塗布容器本体１８に対して塗布体７を挿入しながらキャップ２を押し込むとともに、該開口部１９の球面状部２０に栓パッキン１０ｂを支持しながら回動させることによって、ローレット２５、２４同士は方向性が一致しないので係合することなく、しかも弾性中空体９ｂがキャップ２の回動に合わせて十分に変形するものとなる。その結果、塗布体７は塗布容器本体１８内の内壁面側にまで十分に届くことになるので、該塗布体７に対して化粧料３３を付着させることができるものでもある。
【００７３】
一方、塗布容器本体１８に対してキャップ２を装着する場合には、次のようにするものである。
まず、塗布容器本体１８の開口部１９より塗布体７を挿入しながらキャップ２を押し込むものである。
その結果、塗布容器本体１８の開口部１９と軸６に一体に形成される内キャップ１４とはローレット２５、２４同士で一体に係合するので、塗布容器本体１８は軸６を介して内キャップ１４を一体に回動するように固持するものとなる。
そして、塗布容器本体１８を固定しながらキャップ２を回動させることによって、キャップ２内に固持される中間キャップ３と噛合する内キャップ１４は該中間キャップ３内を開口端とは反対方向へ移動するので、キャップ２より突出する軸６の長さは短縮するものである。
さらに、キャップ２を回動させることによって、塗布容器本体１８の雄ネジ部２１とキャップ２内に固持される中間キャップ３の雌ネジ部４とが新たに噛合するものである。
その結果、キャップ２より突出する軸６の長さを短縮させた状態で、塗布容器本体１８へ軸６とともに塗布体７を塗布容器本体１８の底部等に干渉させて破損させることなく収容することができ、塗布容器本体１８にキャップ２を一体に装着することができるものとなる。
【００７４】
以上のように、キャップ２より突出する軸６の長さを短縮されつつ塗布体７を塗布容器本体１８内に収容することで、弾性中空体９ｂは弾性をもって圧縮することで変形して栓パッキン１０ｂは該シゴキ２２開口端と、軸に外装されるシゴキ用パッキン１３ｂはシゴキ２２の内壁面に付着した過剰な化粧料３３を掻き落としつつ化粧料３３の漏出や化粧料３３中の揮発成分の蒸発を確実に防止することができるものとなる。
【００７５】
なお、キャップ２の回動による、中間キャップ３のキャップ２の開口端と反対方向への内キャップ１４の移動においては、当初中間キャップ３の内壁面に形成される環状突縁５ｂと係合している内キャップ１４の上方の環状突縁１６ｂは離脱するとともに、下方の環状突縁１６’ｂとが係合するものとなる、その結果、内キャップ１４の環状突縁１６ｂ、１６’ｂと中間キャップ３の環状突縁５ｂとの係合によって発生する衝撃によって、使用者はキャップ２の脱着操作を正確に確認することができるものとなる。
【実施例４】
【００７６】
図１２〜図１４において示すのは、本願発明の実施例４である化粧料塗布容器１ｃである。そして、該化粧料塗布容器１ｃは、実施例３の化粧料塗布容器１ｂと同様に、キャップ２と、塗布容器本体１８とから構成され、
該キャップ２は、軸６を介して塗布体７を先端に保持するものであって、該塗布容器本体１８は、該塗布体７を挿脱する開口部１９を形成するとともに、化粧料３３を貯留するものである。
【００７７】
そして、実施例４における化粧料塗布容器１ｃは、実施例３の化粧料塗布容器１ｂと略共通する構成であるが、該キャップ２は、その内部で、内壁面において上下に分割された雌ネジ部４’、４”を形成する中間キャップ３’を一体に固持する点では相違するものである。
さらに、軸６は、その外壁面において、可変パッキンである略球状の弾性中空体９ｃ、及びシゴキ２２に密着して気密性を確保し、軸６に沿って摺動自在となるシゴキ用パッキン１３ｃを外装するとともに、該可変パッキンである弾性中空体９ｃは、実施例３の可変パッキン９ｂと略共通するものであって、軸６と、同心円状の延設部１０ｃ’を一体に形成する栓パッキン１０ｃとを弾性をもって一体に連結するものである。
【００７８】
また、該塗布容器本体１８は、実施例３と同様に、開口部１９の外壁面において、後述の栓パッキン１０ｃの延設部１０ｃ’の内壁面において形成される回り止めであるローレット２７と噛合するローレット２８を有し、外方に向かって湾曲状に膨出する球面状部２０を形成するとともに、その根元では雄ネジ部２１を形成し、さらに、その内部においてはシゴキ２２を装着してなるものである。
【００７９】
その上で、実施例３と同様に、該キャップ２内に一体に固持される中間キャップ３’の内壁面に形成される雌ネジ部４’、４”に対して、キャップ２の回動によって、開口部１９の雄ネジ部２１が離合自在に噛合し、軸６の上部においては、雄ネジ部２９が形成されているものであって、該雄ネジ部２９は中間キャップ３’の内壁面において二分割して形成される雌ネジ部４’、４”の内、上部に形成される雌ネジ部４”に対して噛合しているものである。
ここで、該雌ネジ部４”の上下にはストッパー３０、３０’が配置されており、軸６の上部の雄ネジ部２９が該雌ネジ部４”より逸脱することを防止するものである。
さらに、該軸６の装着される栓パッキン１０ｃにおいて延設部１０ｃ’の内壁面にローレット２７を形成するとともに、塗布容器本体１８の開口部１９の外壁面の球面状部２０にローレット２８を形成するものであって、該栓パッキン１０ｃのローレット２７と塗布容器本体１８の開口部１９における球面状部２０のローレット２８とは係合自在としてなるものである。
【００８０】
本願発明の実施例４である化粧料塗布容器１ｃは以上の構成を具えるので、塗布容器本体１８からキャップ２を離脱させて塗布体７を取り出す場合には、次のようにするものである。
まず、塗布体容器本体１８に対してキャップ２が一体に装着されていると、塗布容器本体１８の開口部１９の球面状部２０と、栓パッキン１０ｃにおける延設部１０ｃ’の内壁面のローレット２８、２７同士による係合によって、塗布容器本体１８は軸６を一体に回動するように固持しているものとなる。
そこで、塗布容器本体１８に一体に装着されているキャップ２を離脱させるために、塗布容器本体１８を固定してキャップ２を回動させると、塗布容器本体１８及び軸６の上部の雄ネジ部２１、２９と中間キャップ３’の上下に二分割された雌ネジ部４’、４”との噛合はキャップ２の開口端方向へ移動するものとなる。
従って、中間キャップ３’の雌ネジ部４’と塗布容器本体１８の雄ネジ部２１との噛合は解離する一方で、中間キャップ３’の雌ネジ部４”と軸６の上部の雄ネジ部２９との噛合はそのまま維持されるものとなる。
このとき、この状態でも塗布容器本体１８に開口部１９の球面状部２０と栓パッキン１０ｃとは回り止めであるローレット２８、２７同士が一体に係合しており、塗布容器本体１８と軸６とは一体に固持されているものである。
そのため、キャップ２をさらに回動させると、中間キャップ３’の雌ネジ部４”と軸６の上部の雄ネジ部２９との噛合は下のストッパー３０’に当接するまで移動、すなわち、中間キャップ３’内を軸６がキャップ２の開口端方向へ移動することとなるので、キャップ２より突出する軸６の長さは伸長するものである。
その結果、キャップ２より突出する軸６の長さを伸長させた状態で、塗布容器本体１８から塗布体７を取り出すことができるものとなる。
【００８１】
なお、キャップ２の回動により、中間キャップ３’の開口端方向への軸６の上部が下のストッパー３０’に当接するまで移動するものとなる。その結果、軸６の上部とストッパー３０’との当接によって軸６は固定されて安定するとともに、発生する衝撃によって、使用者はキャップ２の脱着操作を正確に確認することができるものとなる。
【００８２】
以上のように、キャップ２より突出する軸６の長さを伸長した状態とするものであるので、塗布容器本体１８内の化粧料３３が少なくなっても、塗布容器本体１８に対して塗布体７を挿入するだけ、またはそれとともにキャップ２を押し込むことによる弾性中空体９ｃの十分な圧縮、変形によって、該キャップ２に軸６を介して保持される塗布体７に対して化粧料３３を確実に付着させることができるものである。
【００８３】
このとき、軸６に沿って摺動自在となるシゴキ用パッキン１３ｃは、実施例３と同様に、キャップ２を押し込むことによってシゴキ２２に当接しても、該シゴキ２２による抵抗によってキャップ２方向へ摺動するものとなる。その結果、シゴキ用パッキン１３ｃはシゴキ２よりも内側に入り込むことなく、容易に塗布容器本体１８から塗布体７を抜出することができるものとなる。
【００８４】
さらに、塗布容器本体１８の化粧料３３がきわめて少なくなり、例えば塗布容器本体１８内の内壁面側に化粧料３３が残るものとなっても、塗布容器本体１８に対して塗布体７を挿入しながらキャップ２を押し込むとともに、該開口部１９の球面状部２０に栓パッキン１０ｃを支持しながら回動させると、開口部１９の球面状部２０と栓キャップ１０ｃの内壁面とのローレット２８、２７の方向性は一致していないので係合することなく、互いに円滑に回動するものであるとともに、弾性中空体９ｃはキャップ２の回動に合わせて十分に変形するものとなる。その結果、塗布体７は塗布容器本体１８内の内壁面側にまで十分に届くことになるので、該塗布体７に対して化粧料３３を付着させることができるものである。
【００８５】
一方、塗布容器本体１８に対してキャップ２を装着する場合には、次のようにするものである。
まず、塗布容器本体１８の開口部１９より塗布体７を挿入しながらキャップ２を押し込むものである。
その結果、塗布容器本体１８の開口部１９の球面状部２０と、軸６に装着された可変パッキンをなす栓パッキン１０ｃとは回り止めであるローレット２８、２７で一体に係合するので、塗布容器本体１８は軸６を介して一体に回動するように固持するものとなる。
そして、塗布容器本体１８を固定しながらキャップ２を回動させることによって、キャップ２内に固持される中間キャップ３’の雌ネジ部４”と噛合する軸６の上部は該中間キャップ３’内を開口端とは反対方向へ移動するので、キャップ２より突出する軸６の長さは短縮するものである。
さらに、キャップ２を回動させることによって、塗布容器本体１８の雄ネジ部２１とキャップ２内に固持される中間キャップ３’の雌ネジ部４’とが新たに噛合するものである。
その結果、キャップ２より突出する軸６の長さを短縮させた状態で、塗布容器本体１８へ軸６とともに塗布体７を塗布容器本体１８の底部等に干渉させて破損させることなく収容することができ、塗布容器本体１８にキャップ２を塗布容器本体１８に一体に装着することができるものとなる。
【００８６】
以上のように、キャップ２より突出する軸６の長さを短縮されつつ塗布体７を塗布容器本体１８内に収容することで、弾性中空体９ｃは弾性をもって圧縮されながら変形して該シゴキ２２開口端と、軸６に外装されるシゴキ用パッキン１３ｃはシゴキ２２の内壁面に付着する過剰な化粧料３３を掻き落としつつ化粧料３３の漏出や化粧料３３中の揮発成分の蒸発を確実に防止することができるものとなる。
【００８７】
なお、キャップ２の回動によって、軸６の上部は中間キャップ３’に対して上のストッパー３０に当接するまでの移動するものとなる。その結果、軸６の上部とストッパー３０の当接によって発生する衝撃によって、使用者はキャップ２の脱着操作を正確に確認することができるものとなる。
【実施例５】
【００８８】
図１５において示すのは、本願発明の実施例５である化粧料塗布容器１ｄである。そして、該化粧料塗布容器１ｄは、実施例１の化粧料塗布容器１と同様に、キャップ２と、塗布容器本体１８とから構成され、
該キャップ２は、軸６を介して塗布体７を先端に保持するものであって、該塗布容器本体１８は、該塗布体７を挿脱する開口部１９を形成するとともに、化粧料３３を貯留するものである。
【００８９】
そして、該キャップ２は、その内部で、内壁面において雌ネジ部４ａを形成する中間キャップ３”を一体に固持するものである。
さらに、軸６は、その外壁面において、可変パッキンであるスプリング９ｄ、及びシゴキ２２に密着して気密性を確保するシゴキ用パッキン１３ｄを外装するとともに、その上部では、外壁面において雄ネジ部１５を形成する内キャップ１４をローレット１７を介して一体に固持するものである。
ここで、該可変パッキンであるスプリング９ｄは、軸６と、その外壁面に断面正八角形状の回り止め１１ｄを形成する栓パッキン１０ｄとを弾性をもって一体に連結するものである。
【００９０】
また、該塗布容器本体１８は、実施例１と同様に、開口部１９の外壁面において、外方に向かって湾曲状に膨出する球面状部２０を形成するとともに、その根元では雄ネジ部２１を形成し、さらに、その内部では内壁面に断面正八角形状の回り止め２３ｄを形成するシゴキ２２を装着してなるものである。
【００９１】
その上で、実施例１と同様に、該キャップ２内に一体に固持される中間キャップ３”の内壁面に形成される雌ネジ部４ａに対して、キャップ２の回動によって、開口部１９の雄ネジ部２１及び軸６に固持される内キャップ１４に形成される雄ネジ部１５は噛合してなるものである。
さらに、軸６に外装される栓パッキン１０ｄの外壁面に形成される回り止め１１ｄと、塗布容器本体１８の開口部１９に装着されるシゴキ２２の内壁面に形成される回り止め２３ｄとは離合自在となるように係合してなるものである。
【００９２】
ここで、実施例１の化粧料塗布容器１とは相違して、まず、上記キャップ２内において、軸６の上部で一体となる内キャップ１４の外壁面に形成される雄ネジ部１５と噛合する中間キャップ３”の内壁面に形成される雌ネジ部４ａの全長を、該内キャップ１４の外壁面に形成される雄ネジ部１５の全長よりも短くするものであり、キャップ２の離脱に際して、該中間キャップ３”の内壁面に形成される雌ネジ部４ａは、該雌ネジ部４ａと噛合又は解離することとなる塗布容器本体１８の開口部１９の雄ネジ部２１又は内キャップ１４の雄ネジ部１５と同時に噛合することがなくなるものである。そのため、キャップ２を離脱させる際は、中間キャップ３”の内壁面に形成される雌ネジ部４ａが塗布容器本体１８の開口部１９の雄ネジ部２１との噛合から解離するとともに、圧縮されていたスプリング９ｄの弾性によりキャップ２が上昇して、中間キャップ３”の内壁面に形成される雌ネジ部４ａは内キャップ１４の雄ネジ部１５に当接して噛合可能となるものである。一方、キャップ２を装着する際は、中間キャップ３”の内壁面に形成される雌ネジ部４ａと内キャップ１４の雄ネジ部１５とを噛合させるとともに、歯合が解離した後にキャップ２を押し込んでスプリング９ｄを圧縮することで、中間キャップ３”の内壁面に形成される雌ネジ部４ａは塗布容器本体１８の開口部１９の雄ネジ部２１に当接して噛合可能となるものである。すなわち、中間キャップ３”の雌ネジ部４ａが噛合する塗布容器本体１８及び内キャップ１４の雄ネジ部２１、１５の途中で、一旦噛合が途絶えて新たに噛合することとなるので、中間キャップ３”の雌ネジ部４ａと内キャップ１４の雄ネジ部１５との噛合が連続すると起こり易い噛合のずれが解消されて、円滑にキャップ２の脱着を行えるものである。
そして、実施例１の化粧料塗布容器１とは相違して、キャップ２内で一体に固持する中間キャップ３”の内壁面の上部には環状突縁５ｄを形成し、軸６で固持する内キャップ１４の外壁面の上部には単独の環状突縁１６ｄを形成するものであり、該中間キャップ３”の環状突縁５ｄと、該内キャップ１４の環状突縁１６ｄとは内キャップ１４の移動に応じて互いに係合自在となるものである。
さらに、実施例５の軸６に外装されるシゴキ用パッキン１３ｄは、実施例１のシゴキ用パッキン１３とは異なり、軸６に沿って摺動自在となるものである。
【００９３】
本願発明の実施例５である化粧料塗布容器１ｄは以上の構成を具えるので、塗布容器本体１８からキャップ２を離脱させて塗布体７を取り出す場合には、次のようにするものである。
まず、塗布体容器本体１８に対してキャップ２が一体に装着されていると、開口部１９に装着されるシゴキ２２と軸６に外装される栓パッキン１０ａとの回り止め２３ｄ、１１ｄ同士の係合、及び該軸６と内キャップ１４とのローレット１７の係合によって、塗布容器本体１８は内キャップ１４を一体に回動するように固持しているものとなる。
そこで、塗布容器本体１８に一体に装着されているキャップ２を離脱させるために、塗布容器本体１８を固定してキャップ２を回動させると、塗布容器本体１８の雄ネジ部２１と中間キャップ３”の雌ネジ部４ａとの噛合はキャップ２の開口端方向へ移動して、その噛合は解離するものとなる。
このとき、中間キャップ３”の雌ネジ部４ａと塗布容器本体１８の雄ネジ部２１との噛合は解離するとともに、圧縮されていたスプリング９ｄの弾性により、中間キャップ３”の雌ネジ部４ａは内キャップ１４の雄ネジ部１５に当接して噛合可能になるものである。
ところで、この状態でも塗布容器本体１８の開口部１９に装着されたシゴキ２２と軸６に外装された栓パッキン１０ｄとは回り止め２３ｄ、１１ｄ同士が一体に係合しており、塗布容器本体１８と内キャップ１４とは軸６を介して一体に固持されているものである。
そのため、キャップ２をさらに回動させると、中間キャップ３”の雌ネジ部４ａと内キャップ１４の雄ネジ部１５とは噛合するとともに、該噛合はキャップ２の開口端まで移動するので、キャップ２より突出する軸６の長さは伸長するものである。
その結果、キャップ２より突出する軸６の長さを伸長させた状態で、塗布容器本体１８から塗布体７を取り出すことができるものとなる。
【００９４】
なお、キャップ２の回動による中間キャップ３”の開口端方向への内キャップ１４の移動においては、内キャップ１４の環状突縁１６ｄは下方の環状突縁５ｄに係合するものとなる。その結果、軸６は環状突縁１６ｄと中間キャップ３”の環状突縁５ｄとの係合により軸６が固定されて安定するとともに、中間キャップ３”の環状突縁５ｄとの環状突縁１６ｄとの離脱及び係合によって発生する衝撃によって、実施例１と同様に、使用者はキャップ２の脱着操作を正確に確認することができるものとなる。
【００９５】
以上のように、キャップ２より突出する軸６の長さを伸長した状態とするものであるので、実施例１の化粧料塗布容器１と同様に、塗布容器本体１８内の化粧料３３が少なくなっても、塗布容器本体１８に対して塗布体７を挿入するだけ、またはそれとともにキャップ２を押し込むことによるスプリング９ｄの十分な圧縮、変形によって、該キャップ２に軸６を介して保持される塗布体７に対して化粧料３３を確実に付着させることができるものである。
【００９６】
このとき、軸６に沿って摺動自在となるシゴキ用パッキン１３ｄは、キャップ２を押し込むことによってシゴキ２２に当接しても、該シゴキ２２による抵抗によってキャップ２方向へ摺動するものとなる。その結果、シゴキ用パッキン１３ｄはシゴキ２２よりも内側に入り込むことなく、容易に塗布容器本体１８から塗布体７を抜出することができるものとなる。
【００９７】
さらに、塗布容器本体１８の化粧料３３がきわめて少なくなり、例えば塗布容器本体１８内の内壁面側に化粧料が残るものとなっても、、実施例１の化粧料塗布容器１と同様に、塗布容器本体１８に対して塗布体７を挿入しながらキャップ２を押し込むとともに、該開口部１９の球面状部２０に栓パッキン１０ｄを支持しながら回動させることによって、スプリング９ｄは回動に合わせて十分に変形するものとなる。その結果、塗布体７は塗布容器本体１８内の内壁面側にまで十分に届くことになるので、該塗布体７に対して化粧料３３を付着させることができるものである。
【００９８】
一方、塗布容器本体１８に対してキャップ２を装着する場合には、次のようにするものである。
まず、塗布容器本体１８の開口部１９より塗布体７を挿入しながら、スプリング９ｄを圧縮するようにしてキャップ２を押し込むものである。
その結果、塗布容器本体１８に開口部１９に装着されたシゴキ２２と軸６に外装された栓パッキン１０ｄとは回り止め２３ｄ、１１ｄ同士が一体に係合するので、塗布容器本体１８は軸６を介して内キャップ１４を一体に回動するように固持するものとなる。
そして、塗布容器本体１８を固定しながらキャップ２を回動させることによって、キャップ２内に固持される中間キャップ３”の雌ネジ部４ａと噛合する雄ネジ部１５を形成する内キャップ１４は該中間キャップ３”内をキャップ２の開口端とは反対方向へ移動するので、キャップ２より突出する軸６の長さは短縮するものであり、内キャップ１４の雄ネジ部１５と中間キャップ３”の雌ネジ部４ａとは噛合は解離するものとなる。
さらに、キャップ２を押し込むことで、スプリング９ｄを圧縮しながら、中間キャップ３”の雌ネジ部４ａは塗布容器本体１８の雄ネジ部２１に当接し噛合可能となるので、さらにキャップ２を回動させることによって、塗布容器本体１８の雄ネジ部２１とキャップ２内に固持される中間キャップ３”の雌ネジ部４ａとが新たに噛合するものである。
その結果、キャップ２より突出する軸６の長さを短縮させた状態で、塗布容器本体１８へ軸６とともに塗布体７を塗布容器本体１８の底部等に干渉させて破損させることなく収容することができ、塗布容器本体１８にキャップ２を一体に装着することができるものとなる。
従って、このように中間キャップ３”の雌ネジ部４ａに対する内キャップ１４の雄ネジ部１５及び開口部１９の雄ネジ部２１との噛合が一旦開始した後、再度噛合するものであるので、開口部１９の雄ネジ部２１との噛合が開始するにあたってゆとりができるため、中間キャップ３”の雌ネジ部４ａと開口部１９の雄ネジ部２１との噛合を軽快に行うことができるものである。
【００９９】
以上のように、キャップ２より突出する軸６の長さを短縮されつつ塗布体７を塗布容器本体１８内に収容することで、スプリング９ｄは弾性をもって圧縮されながら変形して該シゴキ２２の開口端と、軸６に外装されるシゴキ用パッキン１３ｄはシゴキ２２の内壁面に付着した過剰な化粧料３３を掻き落としつつ化粧料３３の漏出や化粧料３３中の揮発成分の蒸発を確実に防止することができるものとなる。
【０１００】
なお、キャップ２の回動による、中間キャップ３”の開口端と反対方向への内キャップ１４の移動においては、当初中間キャップ３”の内壁面に形成される下方の環状突縁５ｄに係合している内キャップ１４の環状突縁１６ｄは環状突縁５ｄから離脱するものとなる、その結果、中間キャップ３”の環状突縁５ｄと内キャップ１４の環状突縁１６ｄとの離脱により発生する衝撃によって、使用者はキャップ２の脱着操作を正確に確認することができるものとなる。
【符号の説明】
【０１０１】
１、１ａ、１ｂ、１ｃ、１ｄ    化粧料塗布容器
２    キャップ
３、３’、３”    中間キャップ
４、４’、４”、４ａ    雌ネジ部
５、５’  環状凹部
５ａ、５’ａ    環状突縁
５ｂ    環状突縁
６    軸
７    塗布体
８    Ｏパッキン
９、９ｄ    スプリング
９ａ、９’ａ、９”ａ、９ｂ、９ｃ    弾性中空体
１０、１０ａ、１０ｂ、１０ｃ、１０ｄ    栓パッキン
１０ｃ’    延設部
１１、１１ａ    回り止め
１２    内壁面
１３、１３ａ、１３ｂ、１３ｃ、１３ｄ    シゴキ用パッキン
１４    内キャップ
１５    雄ネジ部
１６    環状凸部
１６ａ    環状突縁
１６ｂ、１６’ｂ、１６ｄ    環状突縁
１７    ローレット
１８    塗布容器本体
１９    開口部
２０    球面状部
２１    雄ネジ部
２２    シゴキ
２３、２３ａ、２３ｄ    回り止め
２４、２５    ローレット
２６    ストッパー
２７、２８    ローレット
２９    雄ネジ部
３０、３０’    ストッパー
３１    スプリング
３２    溝
３３    化粧料
【図１】
2015089406.tif 000003
【図２】
2015089406.tif 000004
【図３】
2015089406.tif 000005
【図４】
2015089406.tif 000006
【図５】
2015089406.tif 000007
【図６】
2015089406.tif 000008
【図７】
2015089406.tif 000009
【図８】
2015089406.tif 000010
【図９】
2015089406.tif 000011
【図１０】
2015089406.tif 000012
【図１１】
2015089406.tif 000013
【図１２】
2015089406.tif 000014
【図１３】
2015089406.tif 000015
【図１４】
2015089406.tif 000016
【図１５】
2015089406.tif 000017